(57)【特許請求の範囲】
【請求項１】
記録媒体に対してインクを吐出して記録を行う記録ヘッドと、記録ヘッドにより画像が記録された記録媒体に対して定着処理を行う定着手段とを有するインクジェットプリンタにおいて、前記記録ヘッドと前記定着手段との間の記録媒体の搬送経路の長さが該記録媒体の最大長さ以上であり、前記搬送経路中に１つ以上の記録媒体搬送手段を、記録ヘッド、記録媒体搬送手段及び定着手段のそれぞれの間隔が前記記録媒体の最小長さ未満となるように配設すると共に、前記記録媒体搬送手段の駆動を、前記記録ヘッドの記録動作に同期させて駆動させる第１の駆動手段と、前記定着手段の定着動作に同期させて駆動させる第２の駆動手段と、前記記録媒体搬送手段の駆動を前記第１の駆動手段により行うか前記第２の駆動手段により行うかを切替える切替手段とを備えることを特徴とするインクジェットプリンタ。
【請求項２】
記録媒体に対してインクを吐出して記録を行う記録ヘッドと、記録ヘッドにより画像が記録された記録媒体に対して定着処理を行う定着手段とを有するインクジェットプリンタにおいて、前記記録ヘッドと前記定着手段との間に記録媒体切断手段を備えると共に、前記記録媒体切断手段と前記定着手段との間の記録媒体の搬送経路の長さが該記録媒体の最大切断長さ以上であり、前記搬送経路中に１つ以上の記録媒体搬送手段を、記録媒体切断手段、記録媒体搬送手段及び定着手段のそれぞれの間隔が前記記録媒体の最小切断長さ未満となるように配設すると共に、前記記録媒体搬送手段の駆動を、前記記録ヘッドの記録動作に同期させて駆動させる第１の駆動手段と、前記定着手段の定着動作に同期させて駆動させる第２の駆動手段と、前記記録媒体搬送手段の駆動を前記第１の駆動手段により行うか前記第２の駆動手段により行うかを切替える切替手段とを備えることを特徴とするインクジェットプリンタ。
【発明の詳細な説明】
【０００１】
【発明の属する技術分野】
本発明はインクジェットプリンタに関し、詳しくは、記録媒体に対してインクを吐出して画像記録を行った後に、定着手段により記録媒体に定着処理を行うようにしたインクジェットプリンタに関する。
【０００２】
【従来の技術】
従来、記録媒体表面に微小液滴状のインクを吐出して画像記録を行うインクジェットプリンタにおいては、画像を記録形成した記録媒体に対して加熱加圧等の定着処理を行うことが知られている。このような定着手段としては、例えば発熱体を内蔵した加熱ローラが用いられ、記録媒体はかかる加熱ローラのニップ間を通過することで加熱加圧し定着処理を行うようになっている。
【０００３】
記録媒体の定着処理時には、高品質の画像を出力できるようにするため、記録媒体を一定速度で連続的に搬送することにより、定着動作を一定速度で連続的に行う必要がある。
【０００４】
しかし、記録媒体表面にインクを吐出して画像を記録形成する画像記録時の記録媒体の搬送は、一般に、搬送を停止している記録媒体の幅方向に記録ヘッドを走査し、記録ヘッドの１走査が終了すると所定量搬送するという具合に間欠的に行われるため、従来のインクジェットプリンタでは、記録ヘッドと定着手段との間の搬送経路中において記録媒体にたるみを形成したり、特開平１０−２９１３０６号に開示されているように、記録後の記録媒体を一旦中間トレイに搬送した後、該中間トレイ上の記録媒体を定着手段の搬送速度に合わせてスイッチバックさせたりといった所謂緩衝手段を設け、記録時の記録媒体の間欠的な搬送に影響されることなく記録媒体を一定速度で連続的に定着手段に搬送することができるようにしている。
【０００５】
【発明が解決しようとする課題】
このように記録ヘッドと定着手段との間に緩衝手段を設ける技術は、装置の小型化を図る上では有効である。しかし、その構造及び記録媒体の制御が複雑となり、機器コストの高騰を招く要因となるばかりでなく、単位時間当たりのプリント処理枚数が増えると対応が困難となる問題があり、今後ますます画像記録速度が向上していくにつれ、満足に対応することができなくなる問題があった。
【０００６】
そこで、本発明の課題は、記録媒体に対する記録動作と定着動作との速度差に影響されることなく記録及び定着の各動作を行うことができ、単位時間当たりのプリント処理枚数を向上させることのできるインクジェットプリンタを提供することにある。
【０００７】
【課題を解決するための手段】
上記課題を解決する請求項１記載の発明は、記録媒体に対してインクを吐出して記録を行う記録ヘッドと、記録ヘッドにより画像が記録された記録媒体に対して定着処理を行う定着手段とを有するインクジェットプリンタにおいて、前記記録ヘッドと前記定着手段との間の記録媒体の搬送経路の長さが該記録媒体の最大長さ以上であり、前記搬送経路中に１つ以上の記録媒体搬送手段を、記録ヘッド、記録媒体搬送手段及び定着手段のそれぞれの間隔が前記記録媒体の最小長さ未満となるように配設すると共に、前記記録媒体搬送手段の駆動を、前記記録ヘッドの記録動作に同期させて駆動させる第１の駆動手段と、前記定着手段の定着動作に同期させて駆動させる第２の駆動手段と、前記記録媒体搬送手段の駆動を前記第１の駆動手段により行うか前記第２の駆動手段により行うかを切替える切替手段とを備えることを特徴とするインクジェットプリンタである。
【０００８】
また、上記課題を解決する請求項２記載の発明は、記録媒体に対してインクを吐出して記録を行う記録ヘッドと、記録ヘッドにより画像が記録された記録媒体に対して定着処理を行う定着手段とを有するインクジェットプリンタにおいて、前記記録ヘッドと前記定着手段との間に記録媒体切断手段を備えると共に、前記記録媒体切断手段と前記定着手段との間の記録媒体の搬送経路の長さが該記録媒体の最大切断長さ以上であり、前記搬送経路中に１つ以上の記録媒体搬送手段を、記録媒体切断手段、記録媒体搬送手段及び定着手段のそれぞれの間隔が前記記録媒体の最小切断長さ未満となるように配設すると共に、前記記録媒体搬送手段の駆動を、前記記録ヘッドの記録動作に同期させて駆動させる第１の駆動手段と、前記定着手段の定着動作に同期させて駆動させる第２の駆動手段と、前記記録媒体搬送手段の駆動を前記第１の駆動手段により行うか前記第２の駆動手段により行うかを切替える切替手段とを備えることを特徴とするインクジェットプリンタである。
【００１３】
【発明の実施の形態】
以下、インクジェットプリンタの各実施の形態について図面に基づいて説明する。
【００１４】
（第１の実施形態）
図１は、第１の実施形態に係るインクジェットプリンタの概略構成を示す斜視図である。
【００１５】
記録媒体Ｓは、ここでは予め規格サイズに裁断されているシート紙が用いられた例を示している。記録媒体Ｓは、最も上流側に配置された第１の搬送手段１によって白抜き矢印で示す方向（副走査方向）に搬送され、この第１の搬送手段１の下流側に配置された記録ヘッド２によって記録媒体Ｓの記録面（表面）上に所望の画像が記録形成される。
【００１６】
なお、本明細書で「上流側」又は「下流側」というときは、記録媒体Ｓの搬送方向に沿う上流側又は下流側をいう。
【００１７】
第１の搬送手段１は、モータＭ１により回転駆動される駆動ローラ１１と、記録媒体Ｓを該駆動ローラ１１との間で挟みつけるための従動ローラ１２とを有する搬送ローラ対によって構成され、記録媒体Ｓを挟持した状態で、記録ヘッド２による画像記録動作に応じて駆動ローラ１１を回転駆動させることにより該記録媒体Ｓを搬送する。
【００１８】
記録ヘッド２は、第１の搬送手段１の下流側に配置され、詳細については図示していないが、例えばＹ（イエロー）、Ｍ（マゼンタ）、Ｃ（シアン）、Ｋ（ブラック）等の各色に対応する複数の記録ヘッドを有して構成されており、画像データに応じて所定の色のインクを所定のタイミングで吐出することで、上記第１の搬送手段１による記録媒体Ｓの搬送と協働して記録媒体Ｓの記録面上に所望の画像を記録形成する。
【００１９】
この記録ヘッド２は、ここでは記録媒体Ｓの幅方向に亘り該記録媒体Ｓの搬送方向と略直交するように架設された図示しない走査ガイドに移動可能に取り付けられ、図示しない駆動手段によって走査ガイドに沿って主走査移動可能に構成された走査型の記録ヘッドを用いており、搬送が停止した状態の記録媒体Ｓの幅方向に亘る主走査の過程でインクを吐出することにより画像記録を行い、１主走査が終了すると記録媒体Ｓを第１の搬送手段１によって所定量搬送した後、次の主走査のために搬送を停止する。従って、記録媒体Ｓに対する記録時における第１の搬送手段１は、モータＭ１により記録ヘッド２の記録動作に同期させた間欠駆動を行い、記録媒体Ｓを所定量ずつ間欠的に搬送する。
【００２０】
記録媒体Ｓを挟んで記録ヘッド２の反対側には、記録媒体保持部２１が配置されており、図示しない吸引手段によりその表面に記録媒体Ｓを吸着保持し、記録時における記録媒体Ｓの浮き上がりを防止する。
【００２１】
図中、３は定着手段であり、記録ヘッド２によって画像が記録形成された後の記録媒体Ｓに対して定着処理を行う。ここでは記録媒体Ｓに対して加熱及び加圧を行うことにより定着するものを示しているがこれに限定されない。この定着手段３は記録ヘッド２の下流側に配置されており、モータＭ２によって回転駆動される圧着ローラ３１と、内部に熱源を有し、記録媒体Ｓを圧着ローラ３１との間で所定圧をもって挟みつける加熱ローラ３２とを有して構成されている。
【００２２】
定着手段３において記録媒体Ｓを加熱加圧する際、記録媒体Ｓをムラなく均一に加熱加圧することができるように、モータＭ２は一定速度で連続的に駆動し、これにより圧着ローラ３１は一定速度で連続的に回転駆動する。従って、記録媒体Ｓは、この定着手段３において一定速度で連続的に搬送されつつ加熱加圧される。
【００２３】
第１の搬送手段１と定着手段３との間には記録媒体Ｓが搬送される搬送経路が構成される。このうち、記録ヘッド２と定着手段３との間の搬送経路長Ｌ１は、プリンタにおいて用いられる記録媒体Ｓの最大長さ以上である。なお、この搬送経路長Ｌ１は、記録ヘッド２の下流側端部から定着手段３における圧着ローラ３１と加熱ローラ３２とのニップに至る間の記録媒体Ｓが搬送される経路の距離である。従って、必ずしも図示するように直線状であるとは限らない。
【００２４】
このように搬送経路長Ｌ１が記録媒体Ｓの最大長さ以上であるため、この搬送経路中には、記録媒体Ｓを定着手段３に向けて搬送するための記録媒体搬送手段が設けられる。図１に示す例では、記録媒体Ｓの搬送経路中に、この記録媒体搬送手段として第２の搬送手段４と第３の搬送手段５との２つを設けた例を示す。
【００２５】
第２の搬送手段４は、駆動ローラ４１と、記録媒体Ｓを該駆動ローラ４１との間で挟みつけるための従動ローラ４２とを有する搬送ローラ対によって構成され、また、第３の搬送手段５は、駆動ローラ５１と、記録媒体Ｓを該駆動ローラ５１との間で挟みつけるための従動ローラ５２とを有する搬送ローラ対によって構成されており、上流側から記録ヘッド２、第２の搬送手段４、第３の搬送手段５及び定着手段３の順で、それぞれの間隔Ｌ２、Ｌ３、Ｌ４が、プリンタにおいて用いられる記録媒体Ｓの最小長さ未満となるように配設されている。
【００２６】
この搬送経路中に設けられる記録媒体搬送手段の配設数は搬送経路長Ｌ１に応じて決定される。即ち、搬送経路長Ｌ１を記録媒体Ｓの最大長さで割った値の整数部分がその搬送経路中における記録媒体搬送手段の最小配設数となり、上記同様に、上流側から記録ヘッド２、各記録媒体搬送手段及び定着手段３の順で、それぞれの間隔が、プリンタにおいて用いられる記録媒体Ｓの最小長さ未満となるように配設される。図１に示す例では、搬送経路長Ｌ１が記録媒体Ｓの最大長さの３倍未満とし、この搬送経路中の記録媒体搬送手段として最小配設数である第２の搬送手段４及び第３の搬送手段５の２つを設けているが、搬送経路長Ｌ１が記録媒体Ｓの最大長さの２倍未満の場合には、記録媒体搬送手段はその中に少なくとも１つあればよい。なお、搬送経路中に設けられる記録媒体搬送手段は上記最小配設数を満たす限り、その数を越えていてもよい。
【００２７】
また、ここでは、第１の搬送手段１と第２の搬送手段４との間隔は、プリンタにおいて用いられる記録媒体Ｓの最小長さ未満となるように設けられている。
【００２８】
この第１の実施形態において、搬送経路中に設けられる記録媒体搬送手段は、記録ヘッド２の記録動作に同期する第１の搬送手段１を駆動するモータＭ１の駆動力と、定着手段３を駆動するモータＭ２の駆動力との双方から駆動力が与えられることが特徴である。
【００２９】
即ち、第２の搬送手段４における駆動ローラ４１の一方の駆動軸４１ａにはプーリ４３が設けられ、第１の搬送手段１における駆動ローラ１１の駆動軸１１ａに設けられたプーリ１３との間に伝達ベルトＢ１が掛け渡されており、モータＭ１の駆動力が第２の搬送手段４にも伝達可能とされている。
【００３０】
また、第３の搬送手段５における駆動ローラ５１の一方の駆動軸５１ａにはプーリ５３が設けられ、第２の搬送手段４の駆動軸４１ａに設けられたプーリ４４との間に伝達ベルトＢ２が掛け渡されており、伝達ベルトＢ１を介して第２の搬送手段４の駆動ローラ４１に与えられるモータＭ１の駆動力が、プーリ４４、伝達ベルトＢ２及びプーリ５３を介して第２の搬送手段４から第３の搬送手段５にも伝達可能とされている。
【００３１】
一方、第３の搬送手段５における駆動ローラ５１の他方の駆動軸５１ｂにはプーリ５４が設けられ、定着手段３における圧着ローラ３１の駆動軸３１ａに設けられたプーリ３３との間に伝達ベルトＢ３が掛け渡されており、モータＭ２の駆動力が第３の搬送手段５にも伝達可能とされている。
【００３２】
また、第２の搬送手段４における駆動ローラ４１の他方の駆動軸４１ｂにはプーリ４５が設けられ、第３の搬送手段５の駆動軸５１ｂに設けられたプーリ５５との間に伝達ベルトＢ４が掛け渡されており、伝達ベルトＢ３を介して第３の搬送手段５の駆動ローラ５１に与えられるモータＭ２の駆動力が、プーリ５５、伝達ベルトＢ３及びプーリ４５を介して第３の搬送手段５から第２の搬送手段４にも伝達可能とされている。
【００３３】
なお、前記モータＭ１、プーリ１３、４３、４４、５３、伝達ベルトＢ１及び伝達ベルトＢ２によって、第２の搬送手段４の駆動を記録ヘッド２の記録動作に同期させて駆動させる第１の駆動手段を構成しており、また、前記モータＭ２、プーリ３３、５４、５５、４５、伝達ベルトＢ３及び伝達ベルトＢ４によって、第２の搬送手段４の駆動を定着手段３の定着動作に同期させて駆動させる第２の駆動手段を構成している。
【００３４】
第２の搬送手段４における駆動ローラ４１の各駆動軸４１ａ、４１ｂには、それぞれ切替手段としての電磁クラッチ４６、４７が設けられており、駆動ローラ４１に与えられる駆動力をモータＭ１からとするか、モータＭ２からとするかを切替え可能としている。即ち、電磁クラッチ４６を接続状態とし、電磁クラッチ４７を非接続状態に切替えると、第２の搬送手段４における駆動ローラ４１には伝達ベルトＢ１を介してモータＭ１の駆動力のみが与えられ、第２の搬送手段４は、このモータＭ１によって記録ヘッド２の記録動作に同期して記録媒体Ｓを間欠的に搬送し、反対に電磁クラッチ４６を非接続状態とし、電磁クラッチ４７を接続状態に切替えると、第２の搬送手段４における駆動ローラ４１には伝達ベルトＢ３及びＢ４を介してモータＭ２の駆動力のみが与えられ、第２の搬送手段４は、このモータＭ２によって定着手段３における定着動作に同期して記録媒体Ｓを一定速度で連続的に搬送する。
【００３５】
同様に、第３の搬送手段５における駆動ローラ５１の各駆動軸５１ａ、５１ｂにもそれぞれ切替手段としての電磁クラッチ５６、５７が設けられており、駆動ローラ５１に与えられる駆動力をモータＭ１からとするか、モータＭ２からとするかを切替え可能としている。
【００３６】
なお、記録ヘッド２、モータＭ１、Ｍ２、電磁クラッチ４６、４７、５６、５７等の各動作機器は、プリンタ本体に設けられた図示しない制御手段によって統括的に制御される。
【００３７】
次に、この第１の実施形態に係るインクジェットプリンタの動作について、図〜図５を用いて説明する。
【００３８】
シート状の記録媒体Ｓ１が記録ヘッド２による記録位置まで搬送されると、モータＭ１によって駆動される第１の搬送手段１により、記録媒体Ｓ１は記録ヘッド２の記録動作に同期して間欠的に搬送される。このとき、第２の搬送手段４は、モータＭ１の駆動力により回転駆動されるように、電磁クラッチ４６が接続状態に、電磁クラッチ４７が非接続状態にそれぞれ切替えられている。
【００３９】
記録媒体Ｓ１に対する記録動作時に、該記録媒体Ｓ１の先端が第２の搬送手段４に到達すると、第２の搬送手段４は、電磁クラッチ４６のみが接続状態に切替えられているため、モータＭ１の駆動力によって記録ヘッド２の記録動作に同期して記録媒体Ｓ１を間欠的に搬送していく（図２）。
【００４０】
次いで、記録媒体Ｓ１に対する記録ヘッド２による記録動作が終了すると、第２の搬送手段４及び第３の搬送手段５は、モータＭ２の駆動力により回転駆動されるように、電磁クラッチ４６、５６が非接続状態に、電磁クラッチ４７、５７が接続状態にそれぞれ切替えられる。これにより第２の搬送手段４及び第３の搬送手段５は、モータＭ２の駆動により定着手段３の定着動作に同期して記録媒体Ｓ１を一定速度で連続的に搬送する（図３）。
【００４１】
記録媒体Ｓ１が一定速度で連続的に搬送されていく過程で、その後端が図示しないセンサにより第２の搬送手段４を通過したことを検知すると、第３の搬送手段５は、引き続き記録媒体Ｓ１をモータＭ２の駆動により定着手段３の定着動作に同期して一定速度で連続的に搬送する一方、第２の搬送手段４は、再びモータＭ１の駆動力により回転駆動されるように、電磁クラッチ４６が接続状態に、電磁クラッチ４７が非接続状態にそれぞれ切替えられ、次に搬送されてくる記録媒体Ｓ２を記録ヘッド２の記録動作に同期して間欠的に搬送するために備える（図４）。
【００４２】
次いで、記録媒体Ｓ１の後端が図示しないセンサにより第３の搬送手段５を通過したことを検知すると、第３の搬送手段５はモータＭ１の駆動力により回転駆動されるように、電磁クラッチ５６が接続状態に、電磁クラッチ５７が非接続状態にそれぞれ切替えられ、次の記録媒体Ｓ２を記録ヘッド２の記録動作に同期して間欠的に搬送するために備える（図５）。
【００４３】
以降、次々搬送されてくる記録媒体Ｓに対する記録動作が継続するに伴い、上記動作を繰り返していく。
【００４４】
この第１の実施形態に係るインクジェットプリンタによれば、記録媒体Ｓの搬送経路中に設けられた記録媒体搬送手段（第２の搬送手段４及び第３の搬送手段５）の駆動を、その搬送経路中の記録媒体Ｓの位置に応じて切替手段（電磁クラッチ４６、４７、５６、５７）によってそれぞれ切替えるだけで、記録動作に同期した搬送と定着手段３に同期した搬送とに切替えることができる。従って、記録媒体Ｓに対する画像記録動作終了時点で速やかに定着動作に同期させた搬送が可能となり、記録動作と定着動作との速度差に影響されることなく記録媒体Ｓを搬送することができる。これにより画像記録速度の向上に伴う単位時間当たりのプリント処理枚数の増加にも容易に対応することができる。
【００４５】
（第２の実施形態）
図６は、第２の実施形態に係るインクジェットプリンタの概略構成を示す側面図である。この第２の実施形態では、記録媒体としてペーパーロールＲに巻回された長尺状の記録媒体ｒが使用される点で上述の第１の実施形態に係るインクジェットプリンタと異なっている。このため、記録ヘッド２と第２の搬送手段４との間には、長尺状の記録媒体ｒを画像記録終了後に切断するための記録媒体切断手段６が配設されている。その他、第１の搬送手段１、第２の搬送手段４、第３の搬送手段５及び定着手段３の具体的構成及び駆動系は第１の実施形態と同一構成であるため詳細な説明は省略する。
【００４６】
同図に示すように、記録ヘッド２と定着手段３との間の搬送経路上において、第２の搬送手段４の上流側には、記録ヘッド２により記録が終了した後の長尺状の記録媒体ｒを切断するための記録媒体切断手段６が配設されている。この記録媒体切断手段６は、記録媒体ｒが停止状態の時にその幅方向に亘って切断することができるものであれば、具体的構造は特に限定されない。
【００４７】
このインクジェットプリンタにおいて、第１の搬送手段１と定着手段３との間に記録媒体ｒが搬送される搬送経路が構成される。このうち、記録媒体切断手段６と定着手段３との間の搬送経路長Ｌ１０は、プリンタにおいて用いられる記録媒体ｒの最大切断長さ以上である。なお、この搬送経路長Ｌ１０は、記録媒体切断手段６の切断部位から定着手段３における圧着ローラ３１と加熱ローラ３２とのニップに至る間の記録媒体ｒが搬送される経路の距離である。従って、必ずしも図示するように直線状であるとは限らない。
【００４８】
搬送経路長Ｌ１０が記録媒体ｒの最大長さ以上であるため、この搬送経路中には、記録媒体切断手段６によって切断された記録媒体ｒを定着手段３に向けて搬送するための記録媒体搬送手段が設けられる。この記録媒体搬送手段の態様は、第１の実施形態において説明したものと同一であり、ここでも第２の搬送手段４と第３の搬送手段５との２つを設けた例を示し、上流側から記録媒体切断手段６、第２の搬送手段４、第３の搬送手段５及び定着手段３の順で、それぞれの間隔Ｌ１１、Ｌ１２、Ｌ１３が、プリンタにおいて用いられる記録媒体ｒの最小切断長さ未満となるように配設されている。
【００４９】
また、ここでも搬送経路中に設けられる記録媒体搬送手段の配設数は搬送経路長Ｌ１０に応じて決定される。即ち、搬送経路長Ｌ１０を切断後の記録媒体ｒの最大長さで割った値の整数部分が搬送経路中における記録媒体搬送手段の最小配設数となる。従って、搬送経路長Ｌ１０が切断後の記録媒体ｒの最大長さの２倍未満の場合には、記録媒体搬送手段はその中に少なくとも１つあればよい。なお、搬送経路中に設けられる記録媒体搬送手段は上記最小配設数を満たす限り、その数を越えていてもよい。
【００５０】
次に、この第２の実施形態に係るインクジェットプリンタの動作について、図７〜図１０を用いて説明する。
【００５１】
記録媒体ｒがロールペーパーＲから繰り出され、記録ヘッド２による記録位置まで搬送されると、モータＭ１によって駆動される第１の搬送手段１により、記録媒体ｒは記録ヘッド２の記録動作に同期して間欠的に搬送される。このとき、第２の搬送手段４は、モータＭ１の駆動力により回転駆動されるように、電磁クラッチ４６が接続状態に、電磁クラッチ４７が非接続状態にそれぞれ切替えられている。
【００５２】
記録媒体ｒに対する記録動作時に、該記録媒体ｒの先端が第２の搬送手段４に到達すると、第２の搬送手段４は、電磁クラッチ４６のみが接続状態に切替えられているため、モータＭ１によって記録ヘッド２の記録動作に同期して記録媒体ｒを間欠的に搬送していく（図７）。
【００５３】
次いで、記録ヘッド２による１画像の記録動作が終了し、記録媒体ｒが次の画像の記録動作により間欠的に搬送される過程で、記録が終了した画像の終端部が記録媒体切断手段６の位置まで搬送されると、記録媒体ｒが停止したタイミングで記録媒体切断手段６により記録媒体ｒの切断を行う。これにより、先に画像形成された記録媒体ｒ１はロールペーパーＲから繰り出される記録媒体ｒと切り離される。
【００５４】
この切断のタイミングで、第２の搬送手段４は、今度はモータＭ２の駆動力により回転駆動されるように、電磁クラッチ４６が非接続状態に、電磁クラッチ４７が接続状態にそれぞれ切替えられる。これにより第２の搬送手段４は、モータＭ２の駆動により定着手段３の定着動作に同期して記録媒体ｒ１を定着手段３へ向けて一定速度で連続的に搬送する。このとき、第３の搬送手段５も電磁クラッチ５６を非接続状態に、電磁クラッチ５７を接続状態とすることで、記録媒体ｒ１をモータＭ２の駆動により定着手段３の定着動作に同期して一定速度で連続的に搬送するために備えている（図８）。
【００５５】
記録媒体ｒ１が第２の搬送手段４及び第３の搬送手段５により一定速度で連続的に搬送されていく過程で、その後端が図示しないセンサにより第２の搬送手段４を通過したことを検知すると、第２の搬送手段４は、再びモータＭ１の駆動力により回転駆動されるように、電磁クラッチ４６が接続状態に、電磁クラッチ４７が非接続状態にそれぞれ切替えられ、次に搬送されてくる記録媒体ｒを記録ヘッド２の記録動作に同期して間欠的に搬送するために備える（図９）。
【００５６】
次いで、記録媒体ｒ１の後端が図示しないセンサにより第３の搬送手段５を通過したことを検出すると、第３の搬送手段５は、再びモータＭ１の駆動力により回転駆動されるように、電磁クラッチ５６が接続状態に、電磁クラッチ５７が非接続状態にそれぞれ切替えられ、次に搬送されてくる記録媒体ｒを記録ヘッド２の記録動作に同期して間欠的に搬送するために備える（図１０）。
【００５７】
以降、記録媒体ｒに対する記録ヘッド２による記録動作及び記録媒体切断手段６による切断動作が継続するに伴い、上記動作を繰り返していく。
【００５８】
この第２の実施形態に係るインクジェットプリンタも、第１の実施形態と同様に、記録媒体ｒの搬送経路中に設けられた記録媒体搬送手段（第２の搬送手段４及び第３の搬送手段５）の駆動を、その搬送経路中の記録媒体ｒの位置に応じて切替手段（電磁クラッチ４６、４７、５６、５７）によってそれぞれ切替えるだけで、記録動作に同期した搬送と定着手段３に同期した搬送とに切替えることができるため、記録動作中で記録媒体切断手段６による切断前の段階においては、記録動作に同期させて間欠的に搬送させるように動作すると共に、記録媒体切断手段６による切断時点で速やかに定着手段３による定着動作に同期させて一定速度で連続的に搬送させることが可能となり、記録動作と定着動作との速度差に影響されることなく記録媒体ｒを搬送することができる。これにより、画像記録速度の向上に伴う単位時間当たりのプリント処理枚数の増加にも容易に対応することができる。
【００５９】
（第３の実施形態）
図１１は、第３の実施形態に係るインクジェットプリンタの概略構成を示す斜視図である。図１と同一符号は同一構成を示し、その詳細な説明は省略する。
【００６０】
同図に示すように、第１の搬送手段１と定着手段３との間には、予め規格サイズに裁断されているシート紙からなる記録媒体Ｓが白抜き矢印の方向に搬送される搬送経路が構成される。このうち、記録ヘッド２と定着手段３との間の搬送経路長Ｌ２０は、プリンタにおいて用いられる記録媒体Ｓの最大長さ以上である。
【００６１】
なお、この搬送経路長Ｌ２０は、記録ヘッド２の下流側端部から定着手段３における圧着ローラ３１と加熱ローラ３２とのニップに至る間の記録媒体Ｓが搬送される経路の距離である。従って、必ずしも図示するように直線状であるとは限らない。
【００６２】
搬送経路長Ｌ２０が記録媒体Ｓの最大長さ以上であるため、この搬送経路中には、記録媒体Ｓを定着手段３に向けて搬送するための記録媒体搬送手段が設けられる。図１１に示す例では、記録媒体Ｓの搬送経路中に設けられる記録媒体搬送手段として、上流側から第２の搬送手段７と第３の搬送手段８との２つを設けた例を示している。
【００６３】
第２の搬送手段７は、駆動ローラ７１と、記録媒体Ｓを該駆動ローラ７１との間で挟みつけるための従動ローラ７２とを有する搬送ローラ対によって構成され、また、第３の搬送手段８は、駆動ローラ８１と、記録媒体Ｓを該駆動ローラ８１との間で挟みつけるための従動ローラ８２とを有する搬送ローラ対によって構成されており、上流側から記録ヘッド２、第２の搬送手段７、第３の搬送手段８及び定着手段３の順で、それぞれの間隔Ｌ２１、Ｌ２２、Ｌ２３が、プリンタにおいて用いられる記録媒体Ｓの最小長さ未満となるように配設されている。
【００６４】
この搬送経路中に設けられる記録媒体搬送手段の配設数は搬送経路長Ｌ２０に応じて決定される。即ち、搬送経路長Ｌ２０を記録媒体Ｓの最大長さで割った値の整数部分がその搬送経路中における記録媒体搬送手段の最小配設数となり、上記同様に、上流側から記録ヘッド２、各記録媒体搬送手段及び定着手段３の順で、それぞれの間隔が、プリンタにおいて用いられる記録媒体Ｓの最小長さ未満となるように配設される。図１１に示す例では、搬送経路長Ｌ２０を記録媒体Ｓの最大長さの３倍未満とし、この搬送経路中の記録媒体搬送手段として最小配設数である第２の搬送手段７及び第３の搬送手段８の２つを設けているが、搬送経路長Ｌ２０が記録媒体Ｓの最大長さの２倍未満の場合には、記録媒体搬送手段はその中に少なくとも１つあればよい。なお、搬送経路中に設けられる記録媒体搬送手段は上記最小配設数を満たす限り、その数を越えていてもよい。
【００６５】
また、ここでは、第１の搬送手段７と第２の搬送手段８との間隔は、プリンタにおいて用いられる記録媒体Ｓの最小長さ未満となるように設けられている。
【００６６】
この第３の実施形態において、搬送経路中に設けられる各記録媒体搬送手段は、第１の搬送手段１及び定着手段３とは別個に駆動制御可能に構成されることが特徴である。
【００６７】
即ち、第２の搬送手段７における駆動ローラ７１には、独立したモータＭ３からの駆動力が伝達され、また、第３の搬送手段８における駆動ローラ８１には、独立したモータＭ４からの駆動力が伝達されるようになっている。モータＭ３の駆動速度はモータＭ１、モータＭ２及びモータＭ４とは別個に制御可能であり、また、モータＭ４の駆動速度はモータＭ１、モータＭ２及びモータＭ３とは別個に制御可能である。従って、モータＭ３及びモータＭ４は、それぞれ記録媒体Ｓの搬送速度を独自に制御可能であり、第１の搬送手段１のモータＭ１と同様に記録ヘッド２の記録動作に同期させる速度で駆動させる場合と、定着手段３のモータＭ２に同期させる速度で駆動させる場合の他に、上記のいずれにも同期しない速度で駆動させることが可能とされている。
【００６８】
次に、この第３の実施形態に係るインクジェットプリンタの動作について、図１２〜図１４を用いて説明する。
【００６９】
シート状の記録媒体Ｓ１が記録ヘッド２による記録位置まで搬送されると、モータＭ１によって駆動される第１の搬送手段１により、記録媒体Ｓ１は記録ヘッド２の記録動作に同期して間欠的に搬送される。この記録媒体Ｓ１に対する記録動作が継続中は、記録媒体Ｓ１を記録ヘッド２の記録動作に同期して間欠的に搬送する必要があるため、記録動作中に記録媒体Ｓ１の先端が第２の搬送手段７に差し掛かったことを図示しないセンサにより検出すると、第２の搬送手段７を駆動するモータＭ３も、第１の搬送手段１を駆動するモータＭ１と同様に、記録ヘッド２の記録動作に同期して間欠的に駆動し、記録媒体Ｓ１を間欠的に搬送する（図１２）。
【００７０】
記録媒体Ｓ１に対する記録ヘッド２による記録動作が終了すると、第２の搬送手段７は、記録媒体Ｓ１を定着手段３へ搬送するため、モータＭ３の駆動を記録ヘッド２の記録動作に同期した間欠的な駆動から連続的な駆動に切替える。また、第３の搬送手段８も、同様にモータＭ４の駆動を連続的な駆動とする。
【００７１】
このときのモータＭ３及びモータＭ４は、記録ヘッド２の記録動作及び定着手段３の定着動作のいずれにも影響されることなく駆動制御可能である。従って、モータＭ３及びモータＭ４を連続的に高速駆動することで、記録の終了した記録媒体Ｓ１を第２の搬送手段７及び第３の搬送手段８によって定着手段３の定着準備位置まで速やかに搬送する（図１３）。
【００７２】
記録媒体Ｓ１の後端が図示しないセンサにより第２の搬送手段７を通過したことを検出すると、モータＭ３の駆動を高速駆動から記録ヘッド２の記録動作に同期した間欠的な駆動に切替え、次に記録が行われる記録媒体Ｓ２を記録ヘッド２の記録動作に同期して間欠的に搬送するために備える。また、その一方で、記録媒体Ｓ１の先端が図示しないセンサにより定着準備位置まで到達したことを検出すると、モータＭ４の駆動を高速駆動から定着手段３の定着動作に同期させた連続駆動に切替え、第３の搬送手段８により記録媒体Ｓ１を一定速度で連続的に搬送する。これにより記録媒体Ｓ１は定着手段３によって一定速度で連続的に加熱加圧される（図１４）。
【００７３】
そして、次の記録媒体Ｓ２の先端が第２の搬送手段７に差し掛かると、この第２の搬送手段７は既に記録ヘッド２の記録動作に同期させた間欠的な駆動に切替えられているため、円滑に記録媒体Ｓ２を間欠的に搬送する。
【００７４】
以降、次々搬送されてくる記録媒体Ｓに対する記録動作が継続するに伴い、上記動作を繰り返していく。
【００７５】
この第３の実施形態に係るインクジェットプリンタによれば、記録媒体Ｓの搬送経路中に設けられた記録媒体搬送手段（第２の搬送手段７及び第３の搬送手段８）の駆動を、記録ヘッド２による記録動作及び定着手段３による定着動作とは別個に制御することができる。これにより、記録媒体Ｓに対する画像記録動作終了時点で定着準備位置まで高速に搬送させ、その後は定着動作に同期させた搬送が可能となり、記録動作と定着動作との速度差に影響されることなく記録媒体Ｓを搬送することができる。従って、画像記録速度の向上に伴う単位時間当たりのプリント処理枚数の増加にも容易に対応することができる。
【００７６】
特に、この第３の実施形態に係るインクジェットプリンタでは、搬送経路中に設けられる各記録媒体搬送手段は、搬送経路中における記録媒体Ｓの位置に応じてそれぞれ別個に駆動制御されるため、搬送経路長Ｌ２０が記録媒体Ｓの最大長さの２倍以上あり、その搬送経路中の記録媒体搬送手段の最小配設数が２つ以上となる場合には、各記録媒体Ｓをその位置に応じて、記録動作に同期した間欠的な搬送と、定着動作に同期した一定速度の連続的な搬送と、そのいずれにも同期しない高速搬送とにそれぞれ独立に搬送することができる。これにより、記録媒体Ｓをその位置で最適な搬送速度で搬送することが可能となり、記録動作終了から定着動作開始までの時間をより短縮することができて処理速度の一層の向上を図ることができる。
【００７７】
（第４の実施形態）
図１５は、第４の実施形態に係るインクジェットプリンタの概略構成を示す側面図である。
【００７８】
この第４の実施形態では、記録媒体としてペーパーロールＲに巻回された長尺状の記録媒体ｒが使用される点で上述の第３の実施形態に係るインクジェットプリンタと異なっている。このため、記録ヘッド２と第２の搬送手段７との間には、長尺状の記録媒体ｒを画像記録終了後に切断するための記録媒体切断手段６が配設されている。その他、第１の搬送手段１、第２の搬送手段７、第３の搬送手段８及び定着手段３の具体的構成及び駆動系は第３の実施形態と同一構成であるため詳細な説明は省略する。また、記録媒体切断手段６の具体的構成については第２の実施形態において説明したため、ここでは説明を省略する。
【００７９】
このインクジェットプリンタにおいて、第１の搬送手段１と定着手段３との間に記録媒体ｒが搬送される搬送経路が構成される。このうち、記録媒体切断手段６と定着手段３との間の搬送経路長Ｌ３０は、プリンタにおいて用いられる記録媒体ｒの最大切断長さ以上である。なお、この搬送経路長Ｌ３０は、記録媒体切断手段６の切断部位から定着手段３における圧着ローラ３１と加熱ローラ３２とのニップに至る間の記録媒体ｒが搬送される経路の距離である。従って、必ずしも図示するように直線状であるとは限らない。
【００８０】
搬送経路長Ｌ３０が記録媒体ｒの最大長さ以上であるため、この搬送経路中には、記録媒体切断手段６によって切断された記録媒体ｒを定着手段３に向けて搬送するための記録媒体搬送手段が設けられる。この記録媒体搬送手段の態様は、第３の実施形態において説明したものと同一であり、ここでも第２の搬送手段７と第３の搬送手段８との２つを設けた例を示し、上流側から記録媒体切断手段６、第２の搬送手段７、第３の搬送手段８及び定着手段３の順で、それぞれの間隔Ｌ３１、Ｌ３２、Ｌ３３が、プリンタにおいて用いられる記録媒体ｒの最小切断長さ未満となるように配設されている。
【００８１】
また、ここでも搬送経路中に設けられる記録媒体搬送手段の配設数は搬送経路長Ｌ３０に応じて決定される。即ち、搬送経路長Ｌ３０を切断後の記録媒体ｒの最大長さで割った値の整数部分が搬送経路中における記録媒体搬送手段の最小配設数となる。従って、搬送経路長Ｌ３０が切断後の記録媒体ｒの最大長さの２倍未満の場合には、記録媒体搬送手段はその中に少なくとも１つあればよい。なお、搬送経路中に設けられる記録媒体搬送手段は上記最小配設数を満たす限り、その数を越えていてもよい。
【００８２】
次に、この第４の実施形態に係るインクジェットプリンタの動作について、図１６〜図１８を用いて説明する。
【００８３】
記録媒体ｒがロールペーパーＲから繰り出され、記録ヘッド２による記録位置まで搬送されると、モータＭ１によって駆動される第１の搬送手段１により、記録ヘッド２の記録動作に同期して間欠的に搬送される。この記録媒体ｒに対する記録動作が継続中は、記録媒体ｒを記録ヘッド２の記録動作に同期して間欠的に搬送する必要があるため、記録動作中に記録媒体ｒの先端が第２の搬送手段７に差し掛かったことを図示しないセンサにより検出すると、第２の搬送手段７を駆動するモータＭ３も、第１の搬送手段１を駆動するモータＭ１と同様に、記録ヘッド２の記録動作に同期して間欠的に駆動し、記録媒体ｒを間欠的に搬送する（図１６）。
【００８４】
次いで、記録媒体ｒに対して記録ヘッド２による１画像の記録動作が終了し、次の画像の記録動作により間欠的に搬送される過程で、記録が終了した画像の終端部が記録媒体切断手段６の位置まで搬送されると、記録媒体ｒが停止したタイミングで記録媒体切断手段６により記録媒体ｒの切断を行う。これにより、先に画像形成された記録媒体ｒ１はロールペーパーＲから繰り出される記録媒体ｒと切り離される。
【００８５】
この切断のタイミングで、第２の搬送手段７は、記録媒体Ｓ１を定着手段３へ搬送するため、モータＭ３の駆動を記録ヘッド２の記録動作に同期した間欠的な駆動から連続的な駆動に切替える。また、第３の搬送手段８も、同様にモータＭ４の駆動を連続的な駆動とする。
【００８６】
このときのモータＭ３及びモータＭ４は、記録ヘッド２の記録動作及び定着手段３の定着動作のいずれにも影響されることなく駆動制御可能である。従って、モータＭ３及びモータＭ４を連続的に高速駆動することで、切断された記録媒体ｒ１を第２の搬送手段７及び第３の搬送手段８によって定着手段３の定着準備位置まで速やかに搬送する（図１７）。
【００８７】
記録媒体ｒ１の後端が図示しないセンサにより第２の搬送手段７を通過したことを検出すると、モータＭ３の駆動を高速駆動から記録ヘッド２の記録動作に同期した間欠的な駆動に切替え、次に記録が行われる記録媒体ｒを記録ヘッド２の記録動作に同期して間欠的に搬送するために備える。また、その一方で、記録媒体ｒ１の先端が図示しないセンサにより定着準備位置まで到達したことを検出すると、モータＭ４の駆動を高速駆動から定着手段３の定着動作に同期させた連続駆動に切替え、第３の搬送手段８により記録媒体ｒ１を一定速度で連続的に搬送する。これにより記録媒体ｒ１は定着手段３によって一定速度で連続的に加熱加圧される（図１８）。
【００８８】
そして、次の記録媒体Ｓ２の先端が第２の搬送手段７に差し掛かると、この第２の搬送手段７は既に記録ヘッド２の記録動作に同期させた間欠的な駆動に切替えられているため、円滑に記録媒体Ｓ２を間欠的に搬送する。
【００８９】
以降、次々搬送されてくる記録媒体ｒに対する記録動作及び記録媒体切断手段６による切断動作が継続するに伴い、上記動作を繰り返していく。
【００９０】
この第４の実施形態に係るインクジェットプリンタも、第３の実施形態と同様に、記録媒体ｒの搬送経路中に設けられた記録媒体搬送手段（第２の搬送手段７及び第３の搬送手段８）の駆動を、記録ヘッド２による記録動作及び定着手段３による定着動作とは別個に制御することができる。これにより、記録動作中で記録媒体切断手段６による切断前の段階においては、記録媒体ｒを記録動作に同期させて間欠的に搬送させ、更に、記録媒体切断手段６による切断時点で定着準備位置まで高速に搬送させ、その後は定着動作に同期させた搬送が可能となり、記録動作と定着動作との速度差に影響されることなく記録媒体ｒを搬送することができる。従って、画像記録速度の向上に伴う単位時間当たりのプリント処理枚数の増加にも容易に対応することができる。
【００９１】
特に、この第４の実施形態に係るインクジェットプリンタでは、搬送経路中に設けられる各記録媒体搬送手段は、切断された記録媒体ｒの位置に応じてそれぞれ別個に駆動制御されるため、搬送経路長Ｌ３０が記録媒体ｒの最大切断長さの２倍以上あり、その搬送経路中の記録媒体搬送手段の最小配設数が２つ以上となる場合には、切断後の各記録媒体ｒをその位置に応じて、記録動作に同期させた間欠的な搬送と、定着手段３の定着動作に同期させた一定速度の連続的な搬送と、そのいずれにも同期しない高速搬送とにそれぞれ独立に搬送することができる。これにより、切断後の各記録媒体ｒをその位置で最適な搬送速度で搬送することが可能となり、切断動作終了から定着動作開始までの時間をより短縮することができて処理速度の一層の向上を図ることができる。
【００９２】
【発明の効果】
本発明によれば、記録媒体に対する記録動作と定着動作との速度差に影響されることなく記録及び定着の各動作を行うことができ、単位時間当たりのプリント処理枚数を向上させることのできるインクジェットプリンタを提供することができる。
【図面の簡単な説明】
【図１】第１の実施形態に係るインクジェットプリンタの概略構成を示す斜視図
【図２】第１の実施形態に係るインクジェットプリンタの動作を説明する図
【図３】第１の実施形態に係るインクジェットプリンタの動作を説明する図
【図４】第１の実施形態に係るインクジェットプリンタの動作を説明する図
【図５】第１の実施形態に係るインクジェットプリンタの動作を説明する図
【図６】第２の実施形態に係るインクジェットプリンタの概略構成を示す側面図
【図７】第２の実施形態に係るインクジェットプリンタの動作を説明する図
【図８】第２の実施形態に係るインクジェットプリンタの動作を説明する図
【図９】第２の実施形態に係るインクジェットプリンタの動作を説明する図
【図１０】第２の実施形態に係るインクジェットプリンタの動作を説明する図
【図１１】第３の実施形態に係るインクジェットプリンタの概略構成を示す斜視図
【図１２】第３の実施形態に係るインクジェットプリンタの動作を説明する図
【図１３】第３の実施形態に係るインクジェットプリンタの動作を説明する図
【図１４】第３の実施形態に係るインクジェットプリンタの動作を説明する図
【図１５】第４の実施形態に係るインクジェットプリンタの概略構成を示す側面図
【図１６】第４の実施形態に係るインクジェットプリンタの動作を説明する図
【図１７】第４の実施形態に係るインクジェットプリンタの動作を説明する図
【図１８】第４の実施形態に係るインクジェットプリンタの動作を説明する図
【符号の説明】
１：第１の搬送手段
２：記録ヘッド
３：定着手段
４：第２の搬送手段（記録媒体搬送手段）
５：第３の搬送手段（記録媒体搬送手段）
６：記録媒体切断手段
７：第２の搬送手段（記録媒体搬送手段）
８：第３の搬送手段（記録媒体搬送手段）
４６、４７、５６、５７：電磁クラッチ（切替手段）
Ｍ１、Ｍ２、Ｍ３、Ｍ４：モータ
Ｓ、ｒ：記録媒体
Ｒ：ロールペーパー
【図１】
0003896844.tif 000002
【図２】
0003896844.tif 000003
【図３】
0003896844.tif 000004
【図４】
0003896844.tif 000005
【図５】
0003896844.tif 000006
【図６】
0003896844.tif 000007
【図７】
0003896844.tif 000008
【図８】
0003896844.tif 000009
【図９】
0003896844.tif 000010
【図１０】
0003896844.tif 000011
【図１１】
0003896844.tif 000012
【図１２】
0003896844.tif 000013
【図１３】
0003896844.tif 000014
【図１４】
0003896844.tif 000015
【図１５】
0003896844.tif 000016
【図１６】
0003896844.tif 000017
【図１７】
0003896844.tif 000018
【図１８】
0003896844.tif 000019